(57)【特許請求の範囲】
【請求項１】
内部時計を含み、前記内部時計で計時される時刻が設定時刻になると所定の報時出力を行う親機および子機を有する同期報時システムであって、
前記親機は、標準電波局から送信される標準時刻信号を受信する第１の標準電波受信手段と、
前記子機とデータ通信を行う第１の通信手段と、
前記設定時刻より所定の時間前に、前記設定時刻に関する設定時刻データを含み、前記子機に前記標準時刻信号を受信させる報時設定信号を前記第１の通信手段に送信させ、前記第１の標準電波受信手段に前記標準時刻信号を受信させて、前記受信した標準時刻信号に基づいて前記内部時計の計時時刻を修正し、前記設定時刻に報時出力を行う第１の制御手段とを含み、
前記子機は、前記標準電波局から送信される標準時刻信号を受信する第２の標準電波受信手段と、
前記親機とデータ通信を行う第２の通信手段と、
前記第２の通信手段で前記報時設定信号が受信されると、前記第２の標準電波受信手段に前記標準時刻信号を受信させて、前記受信した標準時刻信号に基づいて前記内部時計の計時時刻を修正し、前記報時設定信号に含まれる前記設定時刻データに応じて前記所定の報時出力を行うべき時刻を設定し、前記設定時刻に報時出力を行う第２の制御手段とを含む
同期報時システム。
【請求項２】
前記第２の制御手段は、前記第２の標準電波受信手段で受信された標準時刻信号の受信状態に応じた受信状態データを生成し、前記親機に前記生成した受信状態データを前記第２の通信手段に送信させ、前記所定の報時出力に関する報時制御信号に応じた報時出力を行い、
前記第１の制御手段は、前記第１の通信手段で前記受信状態データが受信されると、前記受信状態データに応じて報時制御信号を生成し、前記受信状態データに、所定の期間、前記標準時刻信号が正常に受信される旨のデータが含まれている場合には、前記子機に報時出力を行わせる報時制御信号を前記第１の通信手段に送信させ、正常に受信できない旨を含むデータが含まれている場合には前記子機と同期できないと判別し、前記子機に前記所定の報時出力を行わせない報時制御信号を前記第１の通信手段に送信させる
請求項１に記載の同期報時システム。
【請求項３】
前記第１の制御手段は、前記第１の標準電波受信手段で、所定の期間、前記標準時刻信号が正常に受信される場合には、前記子機に報時出力を行わせる報時制御信号を前記第１の通信手段に送信させ、正常に受信できない場合には前記子機に同期できないと判別し、前記子機に前記所定の報時出力を行わせない報時制御信号を前記第１の通信手段に送信させる
請求項２に記載の同期報時システム。
【請求項４】
前記第２の制御手段は、前記第２の標準電波受信手段で受信された前記標準時刻信号に基づいて時刻データを生成し、前記生成した時刻データを前記第２の通信手段に送信させ、
前記第１の制御手段は、前記第１の通信手段で前記時刻データが受信されると、前記時刻データと前記第１の標準電波受信手段で受信された前記標準時刻信号とに応じた報時制御信号を生成し、前記時刻データと前記標準時刻信号とが同一内容である場合には、前記子機に前記所定の報時出力を行わせ、同一内容でない場合には、前記子機に前記所定の報時出力を行わせない報時制御信号を前記第１の通信手段に送信させる
請求項１〜３のいずれかに記載の同期報時システム
【発明の詳細な説明】
【０００１】
【発明の属する技術分野】
本発明は、たとえば、所定の設定時刻に同期した報時を行う複数の報時装置を有する同期報時システムおよび報時装置に関するものである。
【０００２】
【従来の技術】
従来、たとえば、所定の時刻になると所定の報時出力を行う報時時計が知られている。
たとえば、メロディを発音する電子式発音装置を有する報時時計や、人形体等の装飾体がからくり動作を行うからくり装置を有する報時時計が知られている。
また、所定の時刻になると、内蔵する電子式発音装置により発音されるメロディに合わせて、ハンマー等で発音体を実打ちし、実際に発音体から発音させる実打ち式からくり装置を有する報時時計も知られている。
【０００３】
【発明が解決しようとする課題】
ところで、近年、ユーザの嗜好が多様化し、たとえば、上述した複数の報時装置それぞれを異なる場所に配置し、報時装置に同期した報時出力、たとえば、同期したメロディの演奏を行わせ、臨場感あふれる報時を行う製品の実用化が望まれている。
しかし、従来の報時装置では、たとえば、内部時計として水晶振動子の振動に基づいて計時を行うために計時時刻に誤差が生じてしまう。
このため、複数の報時装置に、所定の時刻に報時出力を行わせるように設定した場合には、複数の報時装置それぞれは、内部時計の計時時刻が設定時刻になると所定の報時出力を行うので、同期のとれていない報時出力を行ってしまうという問題点がある。
【０００４】
本発明は、かかる事情に鑑みてなされたものであり、その目的は、異なる場所に配置された複数の報時装置が同期精度の高い報時出力を行うことができる同期報時システムおよび報時装置を提供することにある。
【０００５】
【課題を解決するための手段】
前記目的を達成するために、本発明の同期報時システムは、内部時計を含み、前記内部時計で計時される時刻が設定時刻になると所定の報時出力を行う親機および子機を有する同期報時システムであって、前記親機は、標準電波局から送信される標準時刻信号を受信する第１の標準電波受信手段と、前記子機とデータ通信を行う第１の通信手段と、前記設定時刻より所定の時間前に、前記設定時刻に関する設定時刻データを含み、前記子機に前記標準時刻信号を受信させる報時設定信号を前記第１の通信手段に送信させ、前記第１の標準電波受信手段に前記標準時刻信号を受信させて、前記受信した標準時刻信号に基づいて前記内部時計の計時時刻を修正し、前記設定時刻に報時出力を行う第１の制御手段とを含み、前記子機は、前記標準電波局から送信される標準時刻信号を受信する第２の標準電波受信手段と、前記親機とデータ通信を行う第２の通信手段と、前記第２の通信手段で前記報時設定信号が受信されると、前記第２の標準電波受信手段に前記標準時刻信号を受信させて、前記受信した標準時刻信号に基づいて前記内部時計の計時時刻を修正し、前記報時設定信号に含まれる前記設定時刻データに応じて前記所定の報時出力を行うべき時刻を設定し、前記設定時刻に報時出力を行う第２の制御手段とを含む。
【０００６】
本発明によれば、内部時計を含む親機と子機が設けられている。
親機においては、第１の標準電波受信手段では、標準電波局から送信される標準時刻信号が受信され、第１の通信手段では、子機とデータ通信が行われる。
第１の制御手段では、設定時刻より所定の時間前に、設定時刻に関する設定時刻データを含み、子機に標準時刻信号を受信させる報時設定信号を第１の通信手段に送信させ、第１の標準電波受信手段に標準時刻信号を受信させて、受信した標準時刻信号に基づいて内部時計の計時時刻を修正し、設定時刻に報時出力を行う。
【０００７】
子機においては、第２の標準電波受信手段では、標準電波局から送信される標準時刻信号が受信され、第２の通信手段では、親機とデータ通信が行われる。
第２の制御手段では、第２の通信手段で報時設定信号が受信されると、第２の標準電波受信手段に標準時刻信号を受信させて、受信した標準時刻信号に基づいて内部時計の計時時刻を修正し、報時設定信号に含まれる設定時刻データに応じて所定の報時出力を行うべき時刻を設定し、設定時刻に報時出力を行う。
【０００８】
好適には、前記第２の制御手段は、前記第２の標準電波受信手段で受信された標準時刻信号の受信状態に応じた受信状態データを生成し、前記親機に前記生成した受信状態データを前記第２の通信手段に送信させ、前記所定の報時出力に関する報時制御信号に応じた報時出力を行い、前記第１の制御手段は、前記第１の通信手段で前記受信状態データが受信されると、前記受信状態データに応じて報時制御信号を生成し、前記受信状態データに、所定の期間、前記標準時刻信号が正常に受信される旨のデータが含まれている場合には、前記子機に報時出力を行わせる報時制御信号を前記第１の通信手段に送信させ、正常に受信できない旨を含むデータが含まれている場合には前記子機と同期できないと判別し、前記子機に前記所定の報時出力を行わせない報時制御信号を前記第１の通信手段に送信させる。
請求項１に記載の同期報時システム。
【００１０】
また、好適には、前記第１の制御手段は、前記第１の標準電波受信手段で、所定の期間、前記標準時刻信号を正常に受信できない場合には、前記子機に前記所定の報時出力を行わせない報時制御信号を前記第１の通信手段に送信させる。
【００１２】
また、好適には、前記第２の制御手段は、前記第２の標準電波受信手段で受信された前記標準時刻信号に基づいて時刻データを生成し、前記生成した時刻データを前記第２の通信手段に送信させ、前記第１の制御手段は、前記第１の通信手段で前記時刻データが受信されると、前記時刻データと前記第１の標準電波受信手段で受信された前記標準時刻信号とに応じた報時制御信号を生成し、前記時刻データと前記標準時刻信号とが同一内容である場合には、前記子機に前記所定の報時出力を行わせ、同一内容でない場合には、前記子機に前記所定の報時出力を行わせない報時制御信号を前記第１の通信手段に送信させる
【００２１】
【発明の実施の形態】
図１は、本発明の同期報時システムに係る一実施の形態を説明するための全体図である。
本実施の形態に係る同期報時システム１は、図１に示すように、報時装置（親機）２および報時装置（子機）３を有する。たとえば、親機２および子機３は、設定された時刻に同期した所定の報時出力たとえば同期した報音を行う。
親機２および子機３それぞれは、たとえば、基地局（標準電波局）４から周波数４０ｋＨｚまたは６０ｋＨｚで送信された標準電波を受信し、標準電波に含まれる標準時刻信号である標準時刻コードに基づいて内部時計の時刻の修正を行い、設定された時刻にそれぞれ同期した報時処理を行う。
また、図示しないが、複数の子機３を設けてもよい。
【００２２】
図２は、図１に示した同期報時システムの報時装置（親機）の一実施の形態の機能ブロック図である。
報時装置（親機）２は、たとえば、図２に示すように、計時部２１、表示部２２、通信Ｉ／Ｆ２３、標準電波受信部２４、入力部２５、出力部２６、ＲＡＭ２７、ＲＯＭ２８、ＣＰＵ２９、およびバスＢＳを有する。
計時部２１、表示部２２、通信Ｉ／Ｆ（Interface ）２３、標準電波受信部２４、入力部２５、出力部２６、ＲＡＭ（Random access memory）２７、ＲＯＭ（Read only memory）２８、およびＣＰＵ（Central processing unit ）２９は、バスＢＳにより接続されている。
【００２３】
計時部２１は、時刻の計時を行う。たとえば、計時部２１は、所定の振動数の信号を生成する発振器を含み、生成された所定の振動数の信号に基づいて時刻の計時を行う。計時部２１は、計時された時刻に関するデータをＣＰＵ２９に出力する。
たとえば、ＣＰＵ２９は、計時部２１により計時される時刻を、標準電波受信部２４から出力される標準時刻信号に応じて、時刻修正を行う。
【００２４】
表示部２２は、計時部２１で計時された時刻を表示する。たとえば、表示部２２は、液晶ディスプレイでありＣＰＵ２９からの所定の信号に応じてデジタル式の時刻表示を行う。また、この形態に限られるものではなく、たとえば表示部２２は、指針やムーブメントを有し、アナログ式の時刻表示を行ってもよい。この場合には、ＣＰＵ２９の制御の下、計時部２１で計時される時刻に応じて指針を駆動し、標準時刻信号に応じて指針位置を修正する駆動回路を設ける。
通信Ｉ／Ｆ２３は、ＣＰＵ２９の制御の下、子機３と無線方式によりデータ通信を行う。たとえば、通信Ｉ／Ｆ２３は、赤外線領域の電磁波を用いて通信を行う。
【００２５】
標準電波受信部２４は、基地局（標準電波局）４から送信された標準電波を受信し、標準電波信号に含まれる標準時刻信号を出力する。
たとえば、標準電波受信部２４は、受信アンテナ２４１と、長波受信回路２４２とを有する。
長波受信回路２４２は、受信アンテナ２４１で受信された標準時刻電波を所定の処理を行いパルス信号Ｓ２４としてＣＰＵ２９に出力する。
長波受信回路２４２は、たとえばＲＦアンプ、検波回路、整流回路、および積分回路とから構成されている。
【００２６】
図３は、標準時刻信号の信号パターンの一具体例を示す図である。
長波受信回路２４２で受信される、日本標準時を高精度で伝える長波の標準電波は、図３（ａ）に示すような形態で送られてくる。
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００２７】
そして、受信状態が良好な場合には、標準電波受信部２４からは、図３（ｂ）に示すように、標準電波信号に応じたパルス信号として信号Ｓ２４が、ＣＰＵ２９に出力される。
【００２８】
電波が非常に弱い場合には、図３（ｃ）に示すように、数個の信号分、ローレベル（Ｌ）かハイレベル（Ｈ）のままになる。
また、ノイズが多いときは、図３（ｄ）に示すように、時刻電波と無関係にレベルが変化する。
これらの状態にある信号を、たとえば１０秒に２回あるいはそれ以上受けたときには、受信状態が基準範囲外にあると判別する。
具体的には、たとえば１０秒程度を検出時間として、時間内においてレベルの変化が１秒以内に検出されなかったときおよび検出したパルス幅が０．８、０．５、０．２秒付近でなかったときをＮＧとして、ＮＧが２回以上発生したときには受信不可能と判断する。
【００２９】
図４は、標準時刻電波信号の時刻コードの一例を示している。図４（ａ）は毎時１５、４５分以外のフォーマット、図４（ｂ）は毎時１５分および４５分のフォーマットである。図４を参照しながら長波標準電波の送信データについて説明する。
【００３０】
送信情報は、分・時・１月１日からの積算日となっている。標準時刻信号の送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００３１】
日本の標準電波は以前（実験局当時）の送信データに加え、年下２桁、曜、分パリティ、時パリティ、サマータイム導入の際に使用予定である予備ビット、うるう秒が追加された（図４（ａ）および（ｂ）参照）。
以上、独立行政法人通信総合研究所（ＣＲＬ：Communications Research Laboratory）が運用管理している長波の標準時刻情報を含む電波による送信情報について詳述した如く、標準時刻情報以外に予備ビットによる情報、うるう秒情報、停波情報も送信情報に含まれる。
【００３２】
入力部２５には、たとえば、ユーザにより所望のデータが入力される。たとえば、入力部２５は、複数の操作ボタンを有し、ユーザの操作に応じたデータが入力される。たとえば、入力部２５には、所定の報時出力を行わせる設定時刻が入力される。入力部２５は所望のデータをＣＰＵ２９に出力する。
【００３３】
出力部２６は、ＣＰＵ２９の制御の下、ＣＰＵ２９から入力される報時制御信号に応じた所定の報時出力を行う。たとえば、具体的には、出力部２６は、報時制御信号に応じた報音を行う。
出力部２６は、たとえば、報時回路２６１、アンプ２６２、およびスピーカ２６３を有する。
【００３４】
報時回路２６１は、ＣＰＵ２９から報時制御信号が入力されると、所定の報音信号、たとえば報音メロディを生成し、アンプ２６２に増幅させ、スピーカ２６３に報音メロディに応じた報音を行わせる。
ＲＡＭ２７は、ＣＰＵ２９の制御処理に伴って生成されるデータが格納され、いわゆるワーキングエリアとして用いられる。
ＲＯＭ２８には、ＣＰＵ２９において実行されるプログラムや、初期データ、種々のパラメータ等が格納されている。
【００３５】
ＣＰＵ２９は、報時に関する所定の処理を行う。
ＣＰＵ２９は、設定時刻、および所定の修正時刻、たとえば、０時，４時，８時，１２時，１６時，および２０時になると、所定の時刻修正処理を行う。
たとえば、ＣＰＵ２９は、所定の時刻になると、標準電波受信部２４に、標準電波局４から送信される標準電波を受信させ、標準時刻信号が正常に受信されたか否を判別する。より具体的には、標準電波受信部２４で標準電波から標準時刻信号を正常に復号できたか否かを判別する。
ＣＰＵ２９は、標準電波受信部２４で標準時刻信号を正常に受信した場合には、標準時刻信号に応じて計時部２１で計時される時刻を修正する。
表示部２２が指針およびムーブメントを有するアナログ式の場合には、ＣＰＵ２９は、不図示の駆動回路に所定の修正信号を出力して表示時刻の修正を行う。
【００３６】
ＣＰＵ２９は、設定時刻より所定の時間前に、設定時刻に関する設定時刻データを含み、子機３に標準時刻信号を受信させる報時設定信号を通信Ｉ／Ｆ２３に送信させ、標準電波受信部２４に標準時刻信号を受信させて、受信した標準時刻信号に基づいて内部時計の計時時刻を修正し、設定時刻に子機３と同期した所定の報時出力を行う。たとえば、標準時刻信号を数分かけて受信するために、設定時刻の所定の時間前、具体的には数分または十数分前に上述の処理を行う。
【００３７】
ＣＰＵ２９は、標準電波の受信状態に応じた所定の処理を行う。
たとえば、ＣＰＵ２９は、標準電波の受信状態に応じて受信状態データを生成する。受信状態データには、標準電波受信部２４において、時刻標準電波を正常に受信できたか否かを示すデータやその時刻等が含まれる。
【００３８】
ＣＰＵ２９は、標準電波受信部２４で標準時刻信号を、所定の期間、正常に受信できないと判断した場合には、子機３と同期した報時出力を行うことができないと判別して子機３に報時処理を行わせない。
【００３９】
具体的には、たとえば、ＣＰＵ２９は、計時部２１で計時される時刻が標準時刻から所定の範囲ずれると、子機３と高精度で同期した報時出力を行うことができないため、計時部２１の計時時刻を所定の期間以上、たとえば３時間以上、標準時刻信号に基づいて時刻修正できない場合には、同期した報時出力を行うことができないと判別し、子機３に報時処理を行わせない報時制御信号を通信Ｉ／Ｆ２３に送信させる。
こうすることで、計時部２１で計時される時刻が標準時刻から所定の精度範囲からずれずに子機と同期した報時出力を行うことができる。
【００４０】
ＣＰＵ２９は、通信Ｉ／Ｆ２３で受信状態データが受信されると、受信状態データに応じて報時制御信号を生成し、子機３に生成した報時制御信号を通信Ｉ／Ｆ２３に送信させる。
たとえば、具体的には、ＣＰＵ２９は、受信状態データに、所定の期間、標準時刻信号を正常に受信できない旨を含むデータが含まれている場合には、子機３に所定の報時出力を行わせない報時制御信号を通信Ｉ／Ｆ２３に送信させる。
【００４１】
図５は、図１に示した同期報時システムの報時処理に関する動作の一具体例を説明するための図である。
ＣＰＵ２９は、たとえば、図５に示すように、親機および子機において、所定の期間、標準時刻信号の受信状態に応じて、報時出力を行うか否かを判別する。
【００４２】
たとえば、図５の１に示すように、親機２（（Ａ）とも言う）は、所定の修正時刻１２：００に標準時刻信号を正常に受信し、たとえば所定の設定時刻の数分前のＰＭ２：２０に標準時刻信号を正常に受信する。一方、子機３（（Ｂ）とも言う）は、１２：００に標準時刻信号を正常に受信し、ＰＭ２：２０に標準時刻信号を正常に受信する。この場合には、親機２は報時出力を行わせる報時制御信号を出力する。
【００４３】
図５の２に示すように、親機２（Ａ）は、時刻１２：００に標準時刻信号を正常に受信し、ＰＭ２：２０に標準時刻信号を正常に受信する。一方、子機３（Ｂ）は、１２：００に標準時刻信号を正常に受信し、ＰＭ２：２０に標準時刻信号を正常に受信しない。この場合には、子機３において、標準時刻との誤差が少ないと判別し、親機２は、報時出力を行わせる報時制御信号を出力する。
【００４４】
図５の３に示すように、親機２（Ａ）は、時刻１２：００に標準時刻信号を正常に受信し、ＰＭ２：２０に標準時刻信号を正常に受信する。一方、子機３（Ｂ）は、１２：００に標準時刻信号を正常に受信せず、ＰＭ２：２０に標準時刻信号を正常に受信する。この場合には、子機３において、標準時刻との誤差が少ないと判別し、親機２は、報時出力を行わせる報時制御信号を出力する。
【００４５】
図５の４に示すように、親機２（Ａ）は、時刻１２：００に標準時刻信号を正常に受信し、ＰＭ２：２０に標準時刻信号を正常に受信する。一方、子機３（Ｂ）は、１２：００に標準時刻信号を正常に受信せず、ＰＭ２：２０に標準時刻信号を正常に受信しない。この場合には、子機３において、標準時刻との誤差が大きいと判別し、親機２は、報時出力を行わせない報時制御信号を出力する。
【００４６】
図５の５に示すように、親機２（Ａ）は、時刻１２：００に標準時刻信号を正常に受信し、ＰＭ２：２０に標準時刻信号を正常に受信しない。一方、子機３（Ｂ）は、１２：００に標準時刻信号を正常に受信し、ＰＭ２：２０に標準時刻信号を正常に受信する。この場合には、親機２において、標準時刻との誤差が小さいと判別し、親機２は、報時出力を行わせる報時制御信号を出力する。
【００４７】
図５の６に示すように、親機２（Ａ）は、時刻１２：００に標準時刻信号を正常に受信し、ＰＭ２：２０に標準時刻信号を正常に受信しない。一方、子機３（Ｂ）は、１２：００に標準時刻信号を正常に受信し、ＰＭ２：２０に標準時刻信号を正常に受信しない。この場合には、親機２および子機３において、標準時刻との誤差が小さいと判別し、親機２は、報時出力を行わせる報時制御信号を出力する。
【００４８】
図５の７に示すように、親機２（Ａ）は、時刻１２：００に標準時刻信号を正常に受信し、ＰＭ２：２０に標準時刻信号を正常に受信しない。一方、子機３（Ｂ）は、１２：００に標準時刻信号を正常に受信せず、ＰＭ２：２０に標準時刻信号を正常に受信する。この場合には、親機２および子機３において、標準時刻との誤差が小さいと判別し、親機２は、報時出力を行わせる報時制御信号を出力する。
【００４９】
図５の８に示すように、親機２（Ａ）は、時刻１２：００に標準時刻信号を正常に受信し、ＰＭ２：２０に標準時刻信号を正常に受信しない。一方、子機３（Ｂ）は、１２：００に標準時刻信号を正常に受信せず、ＰＭ２：２０に標準時刻信号を正常に受信しない。この場合には、子機３において、標準時刻との誤差が大きいと判別し、親機２は、報時出力を行わせない報時制御信号を出力する。
【００５０】
図５の９に示すように、親機２（Ａ）は、時刻１２：００に標準時刻信号を正常に受信せず、ＰＭ２：２０に標準時刻信号を正常に受信する。一方、子機３（Ｂ）は、１２：００に標準時刻信号を正常に受信し、ＰＭ２：２０に標準時刻信号を正常に受信する。この場合には、親機２において、標準時刻との誤差が小さいと判別し、親機２は、報時出力を行わせる報時制御信号を出力する。
【００５１】
図５の１０に示すように、親機２（Ａ）は、時刻１２：００に標準時刻信号を正常に受信せず、ＰＭ２：２０に標準時刻信号を正常に受信する。一方、子機３（Ｂ）は、１２：００に標準時刻信号を正常に受信し、ＰＭ２：２０に標準時刻信号を正常に受信しない。この場合には、親機２および子機３において、標準時刻との誤差が小さいと判別し、親機２は、報時出力を行わせる報時制御信号を出力する。
【００５２】
図５の１１に示すように、親機２（Ａ）は、時刻１２：００に標準時刻信号を正常に受信せず、ＰＭ２：２０に標準時刻信号を正常に受信する。一方、子機３（Ｂ）は、１２：００に標準時刻信号を正常に受信せず、ＰＭ２：２０に標準時刻信号を正常に受信する。この場合には、親機２および子機３において、標準時刻との誤差が小さいと判別し、親機２は、報時出力を行わせる報時制御信号を出力する。
【００５３】
図５の１２に示すように、親機２（Ａ）は、時刻１２：００に標準時刻信号を正常に受信せず、ＰＭ２：２０に標準時刻信号を正常に受信する。一方、子機３（Ｂ）は、１２：００に標準時刻信号を正常に受信せず、ＰＭ２：２０に標準時刻信号を正常に受信しない。この場合には、子機３において、標準時刻との誤差が大きいと判別し、親機２は、報時出力を行わせない報時制御信号を出力する。
【００５４】
図５の１３に示すように、親機２（Ａ）は、時刻１２：００に標準時刻信号を正常に受信せず、ＰＭ２：２０に標準時刻信号を正常に受信しない。一方、子機３（Ｂ）は、１２：００に標準時刻信号を正常に受信し、ＰＭ２：２０に標準時刻信号を正常に受信する。この場合には、親機２において、標準時刻との誤差が大きいと判別し、親機２は、報時出力を行わせない報時制御信号を出力する。
【００５５】
図５の１４に示すように、親機２（Ａ）は、時刻１２：００に標準時刻信号を正常に受信せず、ＰＭ２：２０に標準時刻信号を正常に受信しない。一方、子機３（Ｂ）は、１２：００に標準時刻信号を正常に受信し、ＰＭ２：２０に標準時刻信号を正常に受信しない。この場合には、親機２において、標準時刻との誤差が大きいと判別し、親機２は、報時出力を行わせない報時制御信号を出力する。
【００５６】
図５の１５に示すように、親機２（Ａ）は、時刻１２：００に標準時刻信号を正常に受信せず、ＰＭ２：２０に標準時刻信号を正常に受信しない。一方、子機３（Ｂ）は、１２：００に標準時刻信号を正常に受信せず、ＰＭ２：２０に標準時刻信号を正常に受信する。この場合には、親機２において、標準時刻との誤差が大きいと判別し、親機２は、報時出力を行わせない報時制御信号を出力する。
【００５７】
図５の１６に示すように、親機２（Ａ）は、時刻１２：００に標準時刻信号を正常に受信せず、ＰＭ２：２０に標準時刻信号を正常に受信しない。一方、子機３（Ｂ）は、１２：００に標準時刻信号を正常に受信せず、ＰＭ２：２０に標準時刻信号を正常に受信しない。この場合には、親機２および子機３において、標準時刻との誤差が大きいと判別し、親機２は、報時出力を行わせない報時制御信号を出力する。
【００５８】
また、本実施の形態では、親機２が報時出力を行うか否かを判別したが、この形態に限られるものではない。たとえば、子機３に上述の条件に応じて判別を行わせてもよい。
【００５９】
ＣＰＵ２９は、標準電波受信部２４で、標準時刻信号を正常に受信できない場合、または受信状態データに標準時刻信号が正常に受信できない旨を示すデータが含まれている場合には、標準時刻信号を正常に受信できない旨を報知する。
【００６０】
図６は、図１に示した同期報時システムの受信状態データの送受信の一具体例を説明するための図である。
親機２および子機３では、標準時刻信号を正常に受信できた場合には、たとえば、標準時刻信号を正常に受信できた旨を示す、赤外線領域の電磁波を３１．５ｋＨｚの周波数で振幅変調したトリガ信号を送信する。
また、親機２および子機３では、標準時刻信号を正常に受信できない場合には、たとえば、標準時刻信号を正常に受信できない旨を示す３０．１ｋＨｚのトリガ信号を送信する。
【００６１】
具体的には、ＣＰＵ２９は、図６に示すように、標準時刻信号を正常に受信できた場合には、子機３に３１．５ｋＨｚのトリガ信号を通信Ｉ／Ｆ２３に送信させる。
ＣＰＵ２９は、通信Ｉ／Ｆ２３で、子機３から送信された３１．５ｋＨｚのトリガ信号を受信すると、子機３において、正常に標準時刻信号を受信できたと判別し、所定の報時出力を行う。
また、ＣＰＵ２９は、通信Ｉ／Ｆ２３で、子機３から送信された３０．１ｋＨｚのトリガ信号を受信すると、子機３において、正常に標準時刻信号が受信されないと判別し、所定の報時出力を中止する。
【００６２】
ＣＰＵ２９は、通信Ｉ／Ｆ２３で時刻データが受信されると、時刻データおよび標準電波受信部２４で受信された標準時刻信号に応じた報時制御信号を生成し、子機３に生成した報時制御信号を通信Ｉ／Ｆ２３に送信させる。
たとえば、具体的には、子機３は、標準時刻信号を受信すると標準時刻信号に応じた時刻データを生成し出力する。ＣＰＵ２９は、通信Ｉ／Ｆ２３で時刻データが受信されると、標準電波受信部２４で受信された標準時刻信号と比較し、たとえば、時刻データと標準時刻信号とが同一内容である場合には、子機３に所定の報時出力を行わせる報時制御信号を通信Ｉ／Ｆ２３に送信させる。同一内容でない場合には、子機３に報時出力を行わせない報時制御信号を出力する。
【００６３】
図７および図８は、図１に示した報時装置の動作の一具体例を説明するためのフローチャートである。報時装置２の所定の動作を、図７および図８を参照しながら、ＣＰＵの動作を中心に説明する。
【００６４】
ステップＳＴ１において、ＣＰＵ２９では、計時部２１で計時される時刻を修正する時刻であるか否かが判別される。たとえば、具体的には、ＣＰＵ２９では、計時部２１で計時される時刻が、０時，４時，８時，１２時，１６時，および２０時である場合に、ステップＳＴ２からステップＳＴ５の時刻修正処理を行う。ＣＰＵ２９では、修正時刻ではないと判別された場合には、ステップＳＴ６の処理に進む。
【００６５】
一方、ステップＳＴ１の判別において、ＣＰＵ２９では、修正時刻であると判別された場合には、標準電波受信部２４に、標準電波局４から送信される標準電波を受信させる（ＳＴ２）。
【００６６】
ステップＳＴ３において、ＣＰＵ２９では、標準電波受信部２４で、標準時刻信号が正常に受信されたか否かが判別される。たとえば、具体的には、ＣＰＵ２９では、標準電波受信部２４で標準電波から標準時刻信号を正常に復号できたか否かが判別される。正常に受信されないと判別された場合には、ステップＳＴ５の処理に進む。
【００６７】
一方、ステップＳＴ３の判別において、正常に受信できたと判別された場合には、所定の時刻修正処理が行われる。具体的には、ＣＰＵ２９では、標準電波受信部２４から出力された標準時刻信号に応じて、計時部２１で計時される時刻が修正され（ＳＴ４）、ステップＳＴ５の処理に進む。
また、表示部２２が指針およびムーブメントを有するアナログ式の場合には、ＣＰＵ２９は、不図示の駆動回路に所定の修正信号を出力して表示時刻の修正を行う。
【００６８】
ステップＳＴ５において、ＣＰＵ２９では、標準電波の受信状態に応じて受信状態データが生成される。たとえば、受信状態データには、標準電波受信部２４において、時刻標準電波を正常に受信できたか否かを示すデータや、その時刻等が含まれる。そして、ステップＳＴ６の処理に進む。
【００６９】
ステップＳＴ６において、設定時刻よりも所定の時刻前であるか否かが判別される。たとえば、ＣＰＵ２９では、計時部２１で計時される時刻が、ユーザにより設定された時刻よりも所定の時刻前であるか否かが判別される。設定時刻よりも所定の時刻前ではないと判別された場合には、ステップＳＴ２２の処理に進む。
一方、ステップＳＴ６の判別において、ＣＰＵ２９では、設定時刻よりも所定の時刻前であると判別された場合には、設定時刻データを含み子機３に時刻修正を行わせる報時設定信号を通信Ｉ／Ｆ２３に送信させ（ＳＴ７）、標準電波受信部２４に標準電波局４から送信される標準電波を受信させる（ＳＴ８）。
【００７０】
ステップＳＴ９において、ＣＰＵ２９では、標準電波受信部２４で、標準時刻信号が正常に受信されたか否かが判別される。たとえば、具体的には、ＣＰＵ２９では、標準電波受信部２４で標準電波から標準時刻信号を正常に復号できたか否かが判別される。たとえば、正常に受信されないと判別された場合には、受信状態データに、正常に受信できない旨を含むデータおよびその時刻が加えられる（ＳＴ１０）。
【００７１】
ステップＳＴ１１において、ＣＰＵ２９では、計時部２１で計時される時刻が所定の誤差範囲内であるか否かを判別するために、たとえば、所定の期間、標準時刻信号が正常に受信できないか否かが判別される。たとえば、計時部２１で計時される時刻が、標準時刻から所定の範囲ずれると、子機３と高精度で、同期した報時出力を行うことができない。このため、計時部２１の計時時刻を所定の期間以上、たとえば３時間以上、標準時刻信号に基づいて時刻修正できない場合には、同期した報時出力を行うことができないと判別する。こうすることで、計時部２１で計時される時刻が標準時刻から所定の精度範囲からずれずに子機と同期した報時出力を行うことができる。
【００７２】
ステップＳＴ１１の判別において、所定の期間、標準時刻信号を受信できないと判別された場合には、子機３に報時処理を中止させる信号を通信Ｉ／Ｆ２３に送信させ（ＳＴ１２）、出力部２６に受信できない旨を報知させる。そして、ステップＳＴ２２の処理に進む。
一方、ステップＳＴ１１の判別において、所定の期間内で標準時刻信号を受信できたと判別された場合には、ステップＳＴ１５の処理に進む。
【００７３】
一方、ステップＳＴ９の判別において、受信可能であると判別された場合には、所定の時刻修正処理が行われる。具体的には、ＣＰＵ２９では、標準電波受信部２４から出力された標準時刻信号に応じて、計時部２１で計時される時刻が修正され（ＳＴ１３）、受信状態データに、正常に受信できた旨を含むデータおよびその時刻が加えられる（ＳＴ１４）。
【００７４】
ステップＳＴ１５において、たとえば、ＣＰＵ２９では、子機３に標準電波の受信状態に関するデータの要求を通信Ｉ／Ｆ２３に送信させる。
通信Ｉ／Ｆ２３では、たとえば要求に応じて子機３から送信された受信状態データおよび時刻コードが受信され、ＣＰＵ２９では、子機３から送信された受信状態データに基づいて、子機３において標準電波が正常に受信できたか否かが判別される（ＳＴ１６）。正常に受信されていないと判別された場合には、子機３に、報時処理を中止させる信号を通信Ｉ／Ｆ２３に送信させ、報時フラグが”０”にセットされ（ＳＴ１７）、ステップＳＴ１の処理に戻る。
【００７５】
一方、ステップＳＴ１６の判別において、子機３において標準電波が正常に受信可能であったと判別された場合には、子機３から送信された時刻コードと、標準電波受信部２４で受信した標準時刻信号の時刻情報とが比較され、一致するか否かが判別され（ＳＴ１８）、一致していないと判別された場合には、子機３に報時処理を中止させる信号を通信Ｉ／Ｆ２３に送信させ、報時フラグが”０”にセットされ（ＳＴ１９）、ステップＳＴ１の処理に戻る。
【００７６】
一方、ステップＳＴ１８の判別において、子機３から送信された時刻コードと、標準電波受信部２４で受信した標準時刻信号の時刻情報とが一致すると判別された場合には、子機３に、報時処理を行わせる信号を通信Ｉ／Ｆ２３に送信させる（ＳＴ２０）。そして、設定時刻に所定の報時処理を行わせるために、たとえば、報時フラグを”１”にセットして（ＳＴ２１）、ステップＳＴ２２の処理に進む。
【００７７】
ステップＳＴ２２において、ＣＰＵ２９では、計時部２１で計時される時刻が、設定時刻であるか否かが判別される。設定時刻ではないと判別された場合には、ステップＳＴ１の処理に戻る。
一方、ステップＳＴ２２の判別において、計時部２１で計時される時刻が設定時刻であると判別された場合には、報時フラグが”１”であるか否かが判別される（ＳＴ２３）。報時フラグが”１”ではないと判別された場合には、報時処理を行わないと判断し、ステップＳＴ１の処理に戻る。
【００７８】
一方、ステップＳＴ２３の判別において、報時フラグが”１”であると判別された場合には、所定の報時処理、たとえば出力部２６に報時メロディを、子機３の報時出力と同期して報音させる（ＳＴ２４）。
そして、ステップＳＴ２５において、ＣＰＵ２９では、報時フラグを”０”にセットして、ステップＳＴ１の処理に戻る。
【００７９】
以上説明したように、報時装置２では、時刻を計時する計時部２１と、子機３とデータ通信を行う通信Ｉ／Ｆ２３と、標準電波局４から送信される標準時刻信号を受信する標準電波受信部２４と、報時制御信号に応じて所定の報時出力を行う出力部２６と、設定時刻より所定の時間前に、設定時刻に関する設定時刻データを含み、子機３に標準時刻信号を受信させる報時設定信号を通信Ｉ／Ｆ２３に送信させ、標準電波受信部２４に標準時刻信号を受信させて、受信した標準時刻信号に基づいて計時部２１の計時時刻を修正し、通信Ｉ／Ｆ２３で受信状態データが受信されると、受信状態データに応じて報時制御信号を生成し、子機３に生成した報時制御信号を通信Ｉ／Ｆ２３に送信させ、受信状態データに、所定の期間、標準時刻信号を正常に受信できない旨を含むデータが含まれている場合には、子機３に所定の報時出力を行わせない報時制御信号を通信Ｉ／Ｆ２３に送信させ、標準電波受信部２４で、所定の時間、標準時刻信号を正常に受信できない場合には、子機３に所定の報時出力を行わせない報時制御信号を通信Ｉ／Ｆ２３に送信させ、標準電波受信部２４で、標準時刻信号を正常に受信できない場合、または受信状態データに標準時刻信号が正常に受信できない旨を示すデータが含まれている場合には、出力部２６に、標準時刻信号を正常に受信できない旨を報知させ、通信Ｉ／Ｆ２３で時刻データが受信されると、時刻データおよび標準電波受信部２４で受信された標準時刻信号に応じた報時制御信号を生成し、子機３に生成した報時制御信号を通信Ｉ／Ｆ２３に送信させ、時刻データと標準時刻信号とが同一内容である場合には、子機３に所定の報時出力を行わせる報時制御信号を通信Ｉ／Ｆ２３に送信させ、設定時刻に所定の報時出力を行わせる報時制御信号を出力するＣＰＵ２９とを設けたので、設定時刻に子機と同期した所定の報時出力を行うことができる。
【００８０】
図９は、図１に示した同期報時システムの報時装置の子機の一実施の形態の機能ブロック図である。
報時装置（子機）３は、たとえば、図９に示すように、計時部３１、通信Ｉ／Ｆ３３、標準電波受信部３４、入力部３５、出力部３６、ＲＡＭ３７、ＲＯＭ３８、ＣＰＵ３９、およびバスＢＳを有する。
【００８１】
計時部３１、通信Ｉ／Ｆ３３、標準電波受信部３４、入力部３５、出力部３６、ＲＡＭ３７、ＲＯＭ３８、およびＣＰＵ３９は、バスＢＳにより接続されている。
報時装置２と同様な機能を有する構成要素については、説明を省略する。
【００８２】
図１０は、図１に示した同期報時システムの報時装置（子機）の出力部の一部を拡大した図である。
たとえば、子機３は、図１０に示すような、からくり部３０を有する。
出力部３６は、たとえば、ＣＰＵ３９の制御の下、報時制御信号に応じて、からくり部３０を駆動して、所定のメロディを奏でる。
【００８３】
からくり部３０は、棒鈴体３０１および打鈴装置３０２を有する。
棒鈴体３０１は、それぞれ長さの異なる複数の中空パイプで構成され、基台に略垂直に形成されている。
また、棒鈴体３０１は、「ド」音から１オクターブ高い「ド」までの音色をそれぞれ発音可能となっている。
【００８４】
打鈴装置３０２は、図１０に示すように、一端がフレーム３０２ａに固定された板バネ３０２ｂと、板バネ３０２ｂの自由端近傍に設けられたハンマーヘッド３０２ｃと、板バネ３０２ｂをたわませて棒鈴体３０１を実打ちするソレノイド駆動装置３０２ｄとで構成されている。
【００８５】
出力部３６は、たとえば、電気的には、駆動回路３６１、およびアクチュエータ３６２を有する。
駆動回路３６１は、アクチュエータ３６２を駆動させるための回路であり、たとえば、ＲＯＭ３８に記憶されているメロディデータに基づいて、アクチュエータ３６２であるからくり部３０のソレノイド駆動装置３０２ｄを駆動させる信号を出力する。
【００８６】
具体的には、駆動回路３６１は、ＲＯＭ３８に記憶されているメロディの音程、音の強弱、および音の長さに基づいて、所望のパルス幅のソレノイド駆動パルスを、所望の音程を発音する棒鈴体３０１に設置されたソレノイド駆動装置３０２ｄに供給して駆動させ、板バネ３０２ｂをたわませて、ハンマーヘッド３０２ｃを棒鈴体３０１に衝突させ、所望の音を発音させて、メロディを演奏させる。
【００８７】
ＣＰＵ３９は、報時出力に関する所定の処理を行う。
ＣＰＵ３９は、通信Ｉ／Ｆ３３で報時設定信号が受信されると、標準電波受信部２４に標準時刻信号を受信させて、受信した標準時刻信号に基づいて計時部３１の計時時刻を修正し、報時設定信号に含まれる設定時刻データに応じて所定の報時出力を行うべき時刻を設定し、設定時刻に親機２と同期した所定の報時出力を出力部３６に行わせる。
【００８８】
また、ＣＰＵ３９は、標準電波受信部３４で受信された標準時刻信号の受信状態に応じた受信状態データを生成し、親機２に生成した受信状態データを通信Ｉ／Ｆ３３に送信させる
ＣＰＵ３９は、標準電波受信部３４で受信された標準時刻信号に基づいて時刻データを生成し、生成した時刻データを通信Ｉ／Ｆ３３に送信させる。
また、ＣＰＵ３９は、通信Ｉ／Ｆ３３で、親機２から送信された報時制御信号に応じた報時出力を行う。
【００８９】
図１１，１２は、図１に示した同期報時システムの報時装置（子機）の動作の一具体例を説明するためのフローチャートである。子機３の所定の動作を、図１１，１２を参照しながら、ＣＰＵ３９の動作を中心に説明する。
ステップＳＴ３１において、ＣＰＵ３９では、計時部３１で計時される時刻を修正する時刻であるか否かが判別される。たとえば、具体的には、ＣＰＵ３９では、計時部３１で計時される時刻が、０時，４時，８時，１２時，１６時，および２０時である場合に、ステップＳＴ３２からステップＳＴ３５の時刻修正処理を行う。ＣＰＵ３９では、修正時刻ではないと判別された場合には、ステップＳＴ３６の処理に進む。
【００９０】
一方、ステップＳＴ３１の判別において、ＣＰＵ３９では、修正時刻であると判別された場合には、標準電波受信部３４に、標準電波局４から送信される標準電波を受信させる（ＳＴ３２）。
【００９１】
ステップＳＴ３３において、ＣＰＵ３９では、標準電波受信部３４で、標準時刻信号が正常に受信されたか否かが判別される。たとえば、具体的には、ＣＰＵ３９では、標準電波受信部３４で標準電波から標準時刻信号を正常に復号できたか否かが判別される。正常に受信されないと判別された場合には、ステップＳＴ３５の処理に進む。
【００９２】
一方、ステップＳＴ３３の判別において、正常に受信できたと判別された場合には、所定の時刻修正処理が行われる。具体的には、ＣＰＵ３９では、標準電波受信部３４から出力された標準時刻信号に応じて、計時部３１で計時される時刻が修正され（ＳＴ３４）、ステップＳＴ３５の処理に進む。
【００９３】
ステップＳＴ３５において、ＣＰＵ３９では、標準電波の受信状態に応じて受信状態データが生成される。たとえば、受信状態データには、標準電波受信部３４において、時刻標準電波を正常に受信できたか否かを示すデータや、その時刻等が含まれる。そして、ステップＳＴ３６の処理に進む。
【００９４】
ステップＳＴ３６において、通信Ｉ／Ｆ３３で、報時設定信号が受信されたか否かが判別される。報時設定信号ではないと判別された場合には、ステップＳＴ４７の処理に進む。
【００９５】
一方、ステップＳＴ３６の判別において、ＣＰＵ３９では、報時設定信号であると判別された場合には、信号に応じて報時時刻が設定され（ＳＴ３７）、標準電波受信部３４に標準電波局４から送信される標準電波を受信させる（ＳＴ３８）。
【００９６】
ステップＳＴ３９において、ＣＰＵ３９では、標準電波受信部３４で、標準時刻信号が正常に受信されたか否かが判別される。たとえば、具体的には、ＣＰＵ３９では、標準電波受信部３４で標準電波から標準時刻信号を正常に復号できたか否かが判別される。たとえば、正常に受信されないと判別された場合には、受信状態データに、正常に受信できない旨を含むデータおよびその時刻が加えられる（ＳＴ４０）。
【００９７】
ステップＳＴ４１において、ＣＰＵ３９では、計時部３１で計時される時刻が所定の誤差範囲内であるか否かを判別するために、たとえば、所定の期間、標準時刻信号が正常に受信できないか否かが判別される。たとえば、計時部３１で計時される時刻が、標準時刻から所定の範囲ずれると、親機２と高精度で、同期した報時出力を行うことができない。このため、計時部３１の計時時刻を所定の期間以上、たとえば３時間以上、標準時刻信号に基づいて時刻修正できない場合には、同期した報時出力を行うことができないと判別する。こうすることで、計時部３１で計時される時刻が標準時刻から所定の精度範囲からずれずに親機２と同期した報時出力を行うことができる。
【００９８】
ステップＳＴ４１の判別において、所定の期間、標準時刻信号を受信できないと判別された場合には、親機２に報時処理を中止させる信号を通信Ｉ／Ｆ３３に送信させる（ＳＴ４２）。そして、ステップＳＴ４７の処理に進む。
【００９９】
一方、ステップＳＴ４１の判別において、所定の期間内に、標準時刻信号を受信できていると判別された場合には、標準時刻からのずれが所定の範囲内であると判別して、ステップＳＴ４７の処理に進む。
【０１００】
一方、ステップＳＴ３９の判別において、受信可能であると判別された場合には、所定の時刻修正処理が行われる。具体的には、ＣＰＵ３９では、標準電波受信部３４から出力された標準時刻信号に応じて、計時部３１で計時される時刻が修正され（ＳＴ４３）、標準信号に応じて時刻データが生成され（ＳＴ４５）、受信状態データに正常に受信できた旨を含むデータおよびその時刻が加えられ（ＳＴ４６）、ステップＳＴ４７の処理に進む。
【０１０１】
ステップＳＴ４７において、通信Ｉ／Ｆ３３で、親機２から送信される受信状態要求が受信されたか否かが判別される。受信されたと判別された場合には、ＣＰＵ３９では、受信状態データおよび時刻データを通信Ｉ／Ｆ３３に送信させ（ＳＴ４８）、ステップＳＴ４９の処理に進む。
【０１０２】
一方、ステップＳＴ４７の判別において、受信状態要求が受信されないと判別された場合には、通信Ｉ／Ｆ３３で、親機から送信される報時制御信号が受信されたか否かが判別される（ＳＴ４９）。受信されていないと判別された場合には、ステップＳＴ５３の処理に進む。
ステップＳＴ４９に判別において、報時制御信号が受信されたと判別された場合には、報時制御信号に報時出力を行わせる旨のデータが含まれているか否かが判別される（ＳＴ５０）。
【０１０３】
ステップＳＴ５０の判別において、報時出力を行わせる旨のデータが含まれている場合には、報時フラグが”１”にセットされ（ＳＴ５２）、報時出力を行わせる旨のデータが含まれていない場合には、報時フラグが”０”にセットされ（ＳＴ５１）、ステップＳＴ５３の処理に進む。
【０１０４】
ステップＳＴ５３において、ＣＰＵ３９では、計時部３１で計時される時刻が、設定時刻であるか否かが判別される。設定時刻ではないと判別された場合には、ステップＳＴ３１の処理に戻る。
一方、ステップＳＴ５３の判別において、計時部３１で計時される時刻が設定時刻であると判別された場合には、報時フラグが”１”であるか否かが判別される（ＳＴ５４）。報時フラグが”１”ではないと判別された場合には、報時処理を行わないと判断し、ステップＳＴ３１の処理に戻る。
【０１０５】
一方、ステップＳＴ５４の判別において、報時フラグが”１”であると判別された場合には、所定の報時処理、たとえば出力部３６に報時メロディを親機２の報時出力と同期し演奏させる（ＳＴ５５）。
そして、ステップＳＴ５６において、ＣＰＵ３９では、報時フラグを”０”にセットして、ステップＳＴ３１の処理に戻る。
【０１０６】
以上、説明したように、報時装置３では、親機２と通信を行う通信Ｉ／Ｆ３３と、通信Ｉ／Ｆ３３で報時設定信号が受信されると、標準電波受信部３４に標準時刻信号を受信させて、受信した標準時刻信号に基づいて計時部３１の計時時刻を修正し、報時設定信号に含まれる設定時刻データに応じて所定の報時出力を行うべき時刻を設定し、標準電波受信部３４で受信された標準時刻信号の受信状態に応じた受信状態データを生成し、親機２に、生成した受信状態データを通信Ｉ／Ｆ３３に送信させ、所定の報時出力に関する報時制御信号に応じた報時出力を、出力部３６に行わせ、標準電波受信部３４で受信された標準時刻信号に基づいて時刻データを生成し、生成した時刻データを通信Ｉ／Ｆ３３に送信させ、設定時刻に報時出力を出力部３６に行わせるＣＰＵ３９とを設けたので、設定時刻に親機２と高精度の同期した報時出力を行うことができる。
また、親機２と子機３が離れていても、外部から報時時刻を設定することが可能である。
【０１０７】
子機３では、通信Ｉ／Ｆ３３で、親機２から送信された設定時刻データを受信すると、受信した設定時刻データに基づいて、報時出力を行うべき設定時刻を設定するので、たとえば、親機２で報時出力を行う時刻を設定すると、子機３にその設定時刻が反映され、設定時刻になると所定の報時出力を行う。
また、たとえば、設定時刻データを送信可能な不図示のリモコン等で、子機３の通信Ｉ／Ｆ３３に設定時刻データを入力することで、報時時刻を設定することができる。
【０１０８】
図１３および図１４は、図１に示した同期報時システムの親機および子機それぞれの受信状態の確認処理に関する動作の一具体例を説明するためのフローチャートである。本実施の形態の同期報時システム１の確認処理に関する動作の一具体例を、図１３および図１４を参照しながら説明する。
【０１０９】
ステップＳＴ１０１において、親機２では、報知の確認が行われる。
ステップＳＴ１０２において、親機２では、標準電波が受信できたか否か、より具体的には標準時刻信号が正常に受信できたか否かが判別される。
ステップＳＴ１０２において、親機２では、未受信であると判別された場合には、子機３に報時処理の中止が連絡される（ＳＴ１０３）。子機３では、親機２から報時処理の中止を受信すると報時処理を中止する（ＳＴ１０４）。
【０１１０】
一方、ステップＳＴ１０２において、親機２では、受信であると判別された場合には、子機３へ受信の確認を送信する。
ステップＳＴ１０６において、子機３では、標準電波の受信状態が判別される。
ステップＳＴ１０６の判別において、標準電波の受信状態がよくない場合には、子機３では、受信状態がよくない旨を示すデータが、親機２に送信され（ＳＴ１０７）、報時は中止される（ＳＴ１０８）。
【０１１１】
ステップＳＴ１０６の判別において、子機３では、受信状態がよい旨を示すデータが親機２に送信される（ＳＴ１０９）。
ステップＳＴ１１０において、親機２では、標準電波受信部２４で受信された標準時刻信号と、子機３から送信された時刻データが検討される。
【０１１２】
ステップＳＴ１１１において、ステップＳＴ１１０の受信状態に応じて、たとえば、受信された標準時刻信号と、子機３から送信された時刻データに応じて報知か否かが判別される。
ステップＳＴ１１１において、報知すると判別された場合には、親機２では、報知させる旨を含む信号が子機３に送信され、報時フラグが”０”にセットされる（ＳＴ１１２）。
【０１１３】
ステップＳＴ１１３において、親機２および子機３では、報時のスタンバイが行われる。
ステップＳＴ１１４において、親機２および子機３では、設定時刻であるか否かが判別され、定刻になるまでスタンバイする（ＳＴ１１５）。
ステップＳＴ１１４において、親機２および子機３では、設定時刻であると判別された場合には、所定の出力が行われる（ＳＴ１１６）。
【０１１４】
以上説明したように、本実施の形態によれば、親機２には、時刻を計時する計時部２１と、標準時刻信号を受信する標準電波受信部２４と、子機３と通信を行う通信Ｉ／Ｆ２３と、報時出力を行う出力部２６と、設定時刻より所定の時間前に、設定時刻に関する設定時刻データを含み、標準時刻信号を受信させる報時設定信号を送信させ、標準電波受信部２４に標準時刻信号を受信させて標準時刻信号に基づいて時刻修正し、受信状態データに応じた報時制御信号を送信させ、受信状態データに所定の期間、標準時刻信号を正常に受信できない旨を含むデータが含まれている場合には、所定の報時出力を行わせない報時制御信号を送信し、標準時刻信号を正常に受信できない場合または受信状態データに標準時刻信号が正常に受信できない旨を示すデータが含まれている場合には、標準時刻信号を正常に受信できない旨を報知させ、時刻データが受信されると、時刻データおよび標準時刻信号に応じた報時制御信号を送信させ、時刻データと標準時刻信号とが同一内容である場合には、所定の報時出力を行わせる報時制御信号を送信させ、設定時刻に報時出力を出力部２６に行わせるＣＰＵ２９とを設け、子機３には、計時部３１と、通信Ｉ／Ｆ３３と、標準電波受信部３４と、報時制御信号に応じた報時出力を行う出力部３６と、報時設定信号が受信されると標準電波受信部３４に標準時刻信号を受信させて、標準時刻信号に基づいて時刻修正し、報時設定信号に含まれる設定時刻データに応じて所定の報時出力を行うべき時刻を設定し、標準時刻信号の受信状態に応じた受信状態データを送信させ、所定の報時出力に関する報時制御信号に応じた報時出力を行わせ、標準時刻信号に基づいた時刻データを送信させ、設定時刻に報時出力を行わせるＣＰＵ３９とを設けたので、設定時刻に同期した報時出力を行うことができる。
【０１１５】
また親機２と子機３が離れていても、親機２に報時時刻を設定することで、子機３でも報時時刻を設定可能である。
報時装置それぞれは、標準時刻信号に応じて内部時計の計時時刻を修正し、設定時刻になると所定の報時出力を行うので、複数の報時装置間で同期した報時出力、たとえば、報時装置それぞれが異なるパートのメロディを同期して演奏することができる。
また、報時装置それぞれの標準電波の受信状態に応じて所定の報時動作を行う。たとえば、すべての報時装置で標準電波を受信した際に、複数の報時装置で報時出力を行うので、複数の報時装置で同期した報時出力を行うことができる。
【０１１６】
なお、本発明は本実施の形態に限られるものではなく、任意好適な種々の改変が可能である。
たとえば、本実施の形態では、親機２は、計時時刻を表示する表示部を設けていたが、この形態に限られるものではない。たとえば、表示部はなくともよい。
【０１１７】
本実施の形態では、親機２と子機３とを設けたが、この形態に限られるものではない。たとえば、複数の子機３を設けてもよい。たとえば、報時装置それぞれに、同一のメロディの異なるパートを演奏させることで、より臨場感のある報時出力を行うことができる。
【０１１８】
本実施の形態では、報時装置（親機）２で報時出力を行うか否かを判断したが、この形態に限られるものではない。たとえば、報時装置（子機）３それぞれで、受信状態データや、時刻データに基づいて報時出力の判断を行ってもよい。
その場合には、受信状態データを他の報時装置に送信し、その受信状態データに基づいて、報時出力の判断を行う。
【０１１９】
また、本実施の形態では、子機から受信状態データを送信し、親機で受信して報時出力の判別を行ったが、この形態に限られるものではない。たとえば、親機から子機へ送信してもよい。
標準時刻信号を受信するタイミングは、上述の形態に限られるものではない。また、親機および子機の所定の処理の順番は、上述の形態に限られるものではない。
【０１２０】
【発明の効果】
本発明によれば、異なる場所に配置された複数の報時装置が同期精度の高い報時出力を行うことができる同期報時システムおよび報時装置を提供することができる。
【図面の簡単な説明】
【図１】本発明の同期報時システムに係る一実施の形態を説明するための全体図である。
【図２】図１に示した同期報時システムの報時装置（親機）の一実施の形態の機能ブロック図である。
【図３】標準時刻信号の信号パターンの一具体例を示す図である。
【図４】標準時刻電波信号の時刻コードの一例を示す図である。（ａ）は毎時１５、４５分以外のフォーマット、（ｂ）は毎時１５分および４５分のフォーマットである。
【図５】図１に示した同期報時システムの報時処理に関する動作の一具体例を説明するための図である。
【図６】図１に示した同期報時システムの受信状態データの送受信の一具体例を説明するための図である。
【図７】図１に示した報時装置の動作の一具体例を説明するためのフローチャートである。
【図８】図１に示した報時装置の動作の一具体例を説明するためのフローチャートである。
【図９】図１に示した同期報時システムの報時装置（子機）の一実施の形態の機能ブロック図である。
【図１０】図１に示した同期報時システムの報時装置（子機）の出力部の一部を拡大した図である。
【図１１】図１に示した同期報時システムの報時装置（子機）の動作の一具体例を説明するためのフローチャートである。
【図１２】図１に示した同期報時システムの報時装置（子機）の動作の一具体例を説明するためのフローチャートである。
【図１３】図１に示した同期報時システムの親機および子機それぞれの受信状態の確認処理に関する動作の一具体例を説明するためのフローチャートである。
【図１４】図１に示した同期報時システムの親機および子機それぞれの受信状態の確認処理に関する動作の一具体例を説明するためのフローチャートである。
【符号の説明】
１…同期報時システム、２…報時装置（親機）、３…報時装置（子機）、４…標準電波局、２１…計時部、２２…表示部、２３…通信Ｉ／Ｆ、２４…標準電波受信部、２５…入力部、２６…出力部、２７…ＲＡＭ、２８…ＲＯＭ、２９…ＣＰＵ、３１…計時部、３３…通信Ｉ／Ｆ、３４…標準電波受信部、３５…入力部、３６…出力部、３７…ＲＡＭ、３８…ＲＯＭ、３９…ＣＰＵ、２４１…受信アンテナ、２４２…長波受信回路、２６１…報時回路、２６２…アンプ、２６３…スピーカ、３０１…棒鈴体、３０２ｄ…ソレノイド駆動装置、３０２ｃ…ハンマーヘッド、３０２ａ…フレーム、３０２…打鈴装置、３０２ｂ…板バネ、３６１…駆動回路、３６２…アクチュエータ。
【図１】
0003853672.tif 000002
【図２】
0003853672.tif 000003
【図３】
0003853672.tif 000004
【図４】
0003853672.tif 000005
【図５】
0003853672.tif 000006
【図６】
0003853672.tif 000007
【図７】
0003853672.tif 000008
【図８】
0003853672.tif 000009
【図９】
0003853672.tif 000010
【図１０】
0003853672.tif 000011
【図１１】
0003853672.tif 000012
【図１２】
0003853672.tif 000013
【図１３】
0003853672.tif 000014
【図１４】
0003853672.tif 000015